(57)【要約】【課題】シート材の一部分を他の部分に対して垂直に折り曲げた状態に保持可能な技術の提供。【解決手段】形状保持構造２０は、長尺状に形成された少なくとも一対の支柱４２と、一対の支柱４２の先端の間に掛け渡される棒状の部材であり、かつ、一対の支柱４２によって保持された少なくとも１つの押圧棒２２，２４と、一対の支柱４２を長手方向に沿って伸縮する伸縮部４４を備える。その伸縮部４４は、一対の支柱４２の間に配置されたシート材５０における折り曲げられた継ぎ代５６が、シート材５０における該継ぎ代５６が突出した面５４に対して垂直となる方向に、押圧棒２２，２４を移動させる力を発生する。なお、継ぎ代５６とは、シート材５０における少なくとも一部分であり、シート材５０の他の一部分に対して重なるように折り曲げられる部位である。【選択図】図１
2015160369.tif 000002
【特許請求の範囲】
【請求項１】
シート材（５０）における少なくとも一部分であり、前記シート材の他の一部分に対して重なるように折り曲げられる継ぎ代（５６）を、その折り曲げた状態に保持する形状保持構造（２０）であって、
長尺状に形成された少なくとも一対の支柱（４２）と、
前記一対の支柱の先端の間に掛け渡される棒状の部材であり、かつ、前記一対の支柱によって保持された少なくとも１つの押圧棒（２２，２４）と、
前記一対の支柱を長手方向に沿って伸縮する伸縮部（４４）であって、前記一対の支柱の間に配置された前記シート材における折り曲げられた前記継ぎ代が、前記シート材における該継ぎ代が突出した面に対して垂直となる方向に、前記押圧棒を移動させる力を発生する伸縮部と
を備えることを特徴とする形状保持構造。
【請求項２】
前記一対の支柱は、
前記一対の支柱それぞれの先端に、その支柱に対して揺動可能に軸支された一対の保持部（２６）を備え、
前記一対の保持部は、
前記一対の保持部の間に掛け渡されるように、前記押圧棒を保持する
ことを特徴とする請求項１に記載の形状保持構造。
【請求項３】
前記押圧棒は、
円柱状に形成された部材であることを特徴とする請求項１または請求項２に記載の形状保持構造。
【請求項４】
シート材（５０）における少なくとも一部分であり、前記シート材の他の一部分に対して重なるように折り曲げられる継ぎ代（５６）を、その折り曲げた状態で固定することで、収容空間を有した箱を成形する成形装置（１）であって、
長尺状に形成された少なくとも一対の支柱（４２）と、
前記一対の支柱の先端の間に掛け渡される棒状の部材であり、かつ、前記一対の支柱によって保持された少なくとも１つの押圧棒（２２，２４）と、
前記一対の支柱を長手方向に沿って伸縮する伸縮部（４４）であって、前記一対の支柱の間に配置された前記シート材における折り曲げられた前記継ぎ代が、前記シート材における該継ぎ代が突出した面に対して垂直となる方向に、前記押圧棒を移動させる力を発生する伸縮部と
前記伸縮部にて前記押圧棒を移動させる力を発生することで、前記シート材の継ぎ代が折り曲げられ、その折り曲げられた継ぎ代と前記シート材における少なくとも一部分とが表裏方向にそれぞれ重ねられ、その重ねられた重なり部を糸状部材（８０）で縫う縫合部（１０）と
を備えることを特徴とする成形装置。
【発明の詳細な説明】
【技術分野】
【０００１】
本発明は、シート材における継ぎ代を折り曲げた状態に保持する形状保持構造、及びシート材を折り曲げた形状に成形する成形装置に関する。
【背景技術】
【０００２】
従来、シート材を折り曲げて収容空間を形成した組立箱が知られている（特許文献１参照）。
この種の組立箱として、継ぎ代を側面に固定することで、直方体のトレイ状に形成したテレスコープボックス（即ち、０３型段ボール箱）が提案されている。
【先行技術文献】
【特許文献】
【０００３】
【特許文献１】実開平０７−１５５２０号公報
【発明の概要】
【発明が解決しようとする課題】
【０００４】
このようなテレスコープボックスを組み立てる場合、継ぎ代と側面とによって形成される面が水平な平面となるように、シート材の本体部に対して継ぎ代及び側面を垂直に折り曲げることが求められている。
【０００５】
しかしながら、強化段ボールのように厚みを有したシート材でテレスコープボックスを形成する場合、継ぎ代を垂直に折り曲げた状態に保持することが難しく、側面と継ぎ代とを固定する面が水平な平面とならないという課題がある。
【０００６】
つまり、従来の技術では、シート材の一部分を他の部分に対して垂直に折り曲げた状態に保持することが困難であるという課題がある。
そこで、本発明は、シート材の一部分を他の部分に対して垂直に折り曲げた状態に保持可能な技術を提供することを目的とする。
【課題を解決するための手段】
【０００７】
上記目的を達成するためになされた本発明は、シート材（５０）における少なくとも一部分であり、シート材の他の一部分に対して重なるように折り曲げられる継ぎ代（５６）を、その折り曲げた状態に保持する形状保持構造（２０）に関する。
【０００８】
本発明の形状保持構造は、少なくとも一対の支柱（４２）と、少なくとも１つの押圧棒（２２，２４）と、伸縮部（４４）とを備えている。
このうち、少なくとも一対の支柱は、長尺状に形成されている。
【０００９】
また、押圧棒は、一対の支柱の先端の間に掛け渡される棒状の部材であり、かつ、一対の支柱によって保持されている。
そして、伸縮部は、一対の支柱を長手方向に沿って伸縮する。この伸縮部は、一対の支柱の間に配置されたシート材において折り曲げられた継ぎ代が、そのシート材における該継ぎ代が突出した面に対して垂直となる方向に、押圧棒を移動させる力を発生する。
【００１０】
本発明の形状保持構造を使用する場合、シート材は、継ぎ代と重なる面を構成する部分（即ち、シート材の他の一部分）、及び継ぎ代が折り曲げられた状態で、一対の支柱の間に配置される。
【００１１】
一方、伸縮部は、シート材における継ぎ代が突出した面に対してシート材の継ぎ代が垂直となるように、押圧棒の位置を支柱の長手方向に沿って押圧棒を引き下げる方向の力を発生させる。そして、伸縮部において、押圧棒を引き下げる方向の力を発生すると、シート材の継ぎ代は、押圧棒に接触し、その押圧棒によって下方に押される。このため、シート材の継ぎ代は、他の一部分に対して重なるように折り曲げられた状態に維持される。しかも、継ぎ代が折り曲げられた状態は、シート材において該継ぎ代が突出した面に対して垂直となる。
【００１２】
つまり、本発明の形状保持構造によれば、伸縮部においてシート材の継ぎ代が垂直となる方向に押圧棒を移動させる力が発生することにより、押圧棒が下方に引き下げられるため、シート材の継ぎ代を垂直に折り曲げられた状態に保持できる。
【００１３】
換言すれば、本発明によれば、シート材の一部分を他の部分に対して垂直に折り曲げた状態に保持可能な技術を提供できる。
ところで、本発明における一対の支柱は、一対の支柱それぞれの先端に、その支柱に対して揺動可能に軸支された一対の保持部（２６）を備えていても良い。
【００１４】
この場合、一対の保持部は、一対の保持部の間に掛け渡されるように、押圧棒を保持することが好ましい。
ここで、シート材における継ぎ代の形状や大きさは、シート材によって異なる。このため、シート材における継ぎ代の曲げ角度は、１つの継ぎ代においても一律ではなく、その継ぎ代における場所によって、多少差が生じる。
【００１５】
しかしながら、上述した保持部を備えた形状保持構造によれば、押圧棒によって、シート材における継ぎ代を押下可能な角度範囲を、支柱が揺動可能な範囲内とすることができる。この結果、シート材における継ぎ代の曲げ角度が、その継ぎ代における場所によって、多少異なっていても、継ぎ代を折り曲げた状態に保持できる。
【００１６】
また、本発明における押圧棒は、円柱状に形成された部材であっても良い。
ところで、本発明は、シート材における少なくとも一部分であり、シート材の他の一部分に対して重なるように折り曲げられる継ぎ代を、その折り曲げた状態で固定することで、収容空間を有した箱を成形する成形装置（１）としてなされていても良い。
【００１７】
このような成形装置においては、少なくとも一対の支柱（４２）と、少なくとも１つの押圧棒（２２，２４）と、伸縮部（４４）と、縫合部（１０）とを備えている。
縫合部は、伸縮部にて押圧棒を移動させる力を発生することで、シート材の継ぎ代が折り曲げられ、その折り曲げられた継ぎ代とシート材における少なくとも一部分とが表裏方向にそれぞれ重ねられ、その重ねられた重なり部を糸状部材（８０）で縫う。
【００１８】
このような成形装置によれば、シート材を垂直に折り曲げた状態に保持した上で、そのシート材の継ぎ代とシート材における少なくとも一部分とが表裏方向にそれぞれ重ねられる。その重ねられた重なり部は、成形装置における縫合部によって糸状部材を用いて縫われる。
【００１９】
この結果、本発明の成形装置によれば、シート材の他の一部分に対して重なるように折り曲げられた継ぎ代を、その折り曲げた状態で固定（縫合）することができ、収容空間を有した箱を成形できる。
【００２０】
なお、「特許請求の範囲」及び「課題を解決するための手段」の欄に記載した括弧内の符号は、一つの態様として後述する実施形態に記載の具体的手段との対応関係を示すものであって、本発明の技術的範囲を限定するものではない。
【図面の簡単な説明】
【００２１】
【図１】本発明が適用された成形装置の斜視図である。
【図２】本発明が適用された形状保持構造の一部分の正面図である。
【図３】本発明が適用された形状保持構造の一部分の側面図である。
【発明を実施するための形態】
【００２２】
以下に本発明の実施形態を図面と共に説明する。
〈成形装置〉
図１に示す成形装置１は、規定された部位で折り曲げられたシート材５０において、重なり合う部分を固定する装置である。
【００２３】
本実施形態におけるシート材５０は、規定された部位で折り曲げて固定することで、トレイ状のテレスコープボックスを形成する。このシート材５０は、強化段ボールによって形成された一枚のシートであり、底面を構成する底面部５２と、４つの側面それぞれを構成する側面部５４と、互いに隣接する側面部５４同士を接続する継ぎ代５６とを備えている。
【００２４】
成形装置１は、縫合部１０と、形状保持構造２０とを備えている。
縫合部１０は、糸状部材（例えば、糸）８０によってシート材５０を縫うミシン１２と、ミシン１２を支持する支持フレーム１４とを備えている。なお、縫合部１０は、ミシン１２及び支持フレーム１４を規定された方向である規定方向に駆動する駆動機構（図示せず）を備えている。
【００２５】
図２，図３に示すように、形状保持構造２０は、２つの押圧棒２２，２４と、２つの押圧棒２２，２４を支持する一対の保持部２６と、保持部２６のそれぞれが固定される少なくとも一対の支柱４２と、２つの伸縮部４４とを備えている。
【００２６】
支柱４２それぞれは、全体として長尺状に形成された柱である。
伸縮部４４それぞれは、支柱４２に接続され、かつ、その支柱４２の長手方向に沿って伸縮する。本実施形態における伸縮部４４は、圧縮空気によって直線運動する周知のエアシリンダである。
【００２７】
押圧棒２２，２４のそれぞれは、円柱状に形成された柱体である。
保持部２６は、押圧棒２２，２４それぞれを保持する押圧棒支持部２８と、押圧棒支持部２８を伸縮部４４に接続する接続部３４とを備えている。
【００２８】
押圧棒支持部２８は、直方体に形成された２つの外側支持部２９と、直方体に形成された１つの内側支持部３０と、２つの外側支持部２９及び内側支持部３０が接続される底部３１とを備えている。すなわち、押圧棒支持部２８は、２つの外側支持部２９と内側支持部３０とが、それぞれの支持部２９，３０の間に溝（以下、「保持溝」と称す）Ｄを有するように底部３１に接続されることによって、形状が「Ｅ」字状に形成された部材である。
【００２９】
そして、押圧棒支持部２８は、外側支持部２９と内側支持部３０とによって、押圧棒２２，２４を狭持する。すなわち、外側支持部２９と内側支持部３０とによって形成された各保持溝Ｄに、押圧棒２２，２４それぞれが差し込まれる。さらに、押圧棒支持部２８においては、２つの外側支持部２９と内側支持部３０と保持溝Ｄに差し込まれた押圧棒２２，２４とを貫通するように、棒状部材３２が挿通される。これにより、押圧棒２２，２４は、押圧棒支持部２８に固定される。
【００３０】
接続部３４は、板状に形成された２つの狭持プレート３５，３６と、２つの狭持プレート３５，３６が接続さる基板部３７と、棒状に形成された接続ピン３８とを備えている。
基板部３７は、平板状に形成された部位であり、１つの面が伸縮部４４の上面に固定される。狭持プレート３５，３６は、押圧棒支持部２８を挟み込むように隙間を空けて、基板部３７から同一方向に向けて突出されている。
【００３１】
さらに、接続部３４は、狭持プレート３５，３６に押圧棒支持部２８が挟み込まれた状態で、狭持プレート３５，３６と押圧棒支持部２８とを貫通するように接続ピン３８が挿通される。これにより、保持部２６において、押圧棒支持部２８は、支柱４２に対して揺動可能に接続部３４に軸支される。
【００３２】
〈使用例〉
次に、成形装置１の使用例について説明する。
成形装置１を使用する場合、シート材５０は、側面部５４と継ぎ代５６とが折り曲げられた状態で、一対の支柱４２の間に配置される。
【００３３】
一方、形状保持構造２０における伸縮部４４は、シート材５０における継ぎ代５６が突出した面（通常、１つの側面部５４）に対してシート材５０の継ぎ代５６が垂直となるように、押圧棒２２，２４の位置を支柱の長手方向に沿って押圧棒２２，２４を引き下げる方向の力を発生させる。そして、伸縮部４４において、押圧棒２２，２４を引き下げる方向の力を発生すると、シート材５０の継ぎ代５６は、押圧棒２２，２４に接触し、その押圧棒２２，２４によって下方に押される。
【００３４】
このため、シート材５０の継ぎ代５６は、シート材５０の側面部５４に対して重なるように折り曲げられた状態に維持される。しかも、継ぎ代５６が折り曲げられた状態は、シート材５０において該継ぎ代５６が突出した面（即ち、側面部５４）に対して垂直となる。
【００３５】
この結果、シート材５０は、該シート材５０の継ぎ代５６が折り曲げられ、その折り曲げられた継ぎ代５６と当該シート材５０における側面部５４とが表裏方向にそれぞれ重ねられる。
【００３６】
さらに、成形装置１における縫合部１０は、規定方向に沿って駆動されることで、シート材５０において継ぎ代５６とシート材５０における側面部５４とが表裏方向に重ねられた重なり部を一定長さに渡って糸状部材８０で縫う。
［実施形態の効果］
以上説明したように、形状保持構造２０によれば、伸縮部４４においてシート材５０の継ぎ代５６が垂直となる方向に押圧棒２２，２４を移動させる力が発生することにより、押圧棒２２，２４が下方に引き下げられる。このため、形状保持構造２０によれば、シート材５０の継ぎ代５６を垂直に折り曲げられた状態に保持できる。
【００３７】
換言すれば、形状保持構造２０によれば、シート材５０の一部分を他の部分に対して垂直に折り曲げた状態に保持可能な技術を提供できる。
ここで、シート材５０における継ぎ代５６の形状や大きさは、シート材５０ごとに異なる。このため、シート材５０における継ぎ代５６の曲げ角度は、１つの継ぎ代５６においても一律ではなく、その継ぎ代５６内での場所によって、多少差が生じる。
【００３８】
これに対して、形状保持構造２０における保持部２６においては、押圧棒支持部２８が、支柱４２に対して揺動可能に接続部３４に軸支されている。
したがって、形状保持構造２０によれば、シート材５０における継ぎ代５６を押圧棒２２，２４によって押下可能な角度範囲を、支柱４２に対して押圧棒支持部２８が揺動可能な範囲内とすることができる。この結果、形状保持構造２０によれば、シート材５０における継ぎ代５６の曲げ角度が、その継ぎ代５６内での場所によって、多少異なっていても、継ぎ代５６を折り曲げた状態に保持できる。
【００３９】
さらに、成形装置１では、シート材５０を垂直に折り曲げた状態に保持した上で、そのシート材５０の継ぎ代５６とシート材５０側面部５４とが表裏方向にそれぞれ重ねられた部分を、縫合部１０によって、一定長さに渡って糸状部材８０で縫う。
【００４０】
この結果、成形装置１によれば、シート材５０の他の一部分（本実施形態では側面部５４）に対して重なるように折り曲げられた継ぎ代５６を、その折り曲げた状態で固定（縫合）することができ、収容空間を有した箱（例えば、テレスコープボックス）を成形できる。
［その他の実施形態］
以上、本発明の実施形態について説明したが、本発明は上記実施形態に限定されるものではなく、本発明の要旨を逸脱しない範囲において、様々な態様にて実施することが可能である。
【００４１】
なお、上記実施形態の構成の一部を、課題を解決できる限りにおいて省略した態様も本発明の実施形態である。また、上記実施形態と変形例とを適宜組み合わせて構成される態様も本発明の実施形態である。また、特許請求の範囲に記載した文言によって特定される発明の本質を逸脱しない限度において考え得るあらゆる態様も本発明の実施形態である。
【符号の説明】
【００４２】
１…成形装置  １０…縫合部  １２…ミシン  １４…支持フレーム  ２０…形状保持構造  ２２，２４…押圧棒  ２６…保持部  ２８…押圧棒支持部  ２９…外側支持部  ３０…内側支持部  ３１…底部  ３２…棒状部材  ３４…接続部  ３５，３６…狭持プレート  ３７…基板部  ３８…接続ピン  ４２…支柱  ４４…伸縮部  ５０…シート材  ５２…底面部  ５４…側面部  ５６…継ぎ代  ８０…糸状部材  Ｄ…保持溝
【図１】
2015160369.tif 000003
【図２】
2015160369.tif 000004
【図３】
2015160369.tif 000005